(57)【要約】【目的】断熱性を有すると共に容易に再利用する。【構成】本発明に係る木造住宅の壁構造１は、水平横架材である土台１２に沿って該土台の上に立設された一対の柱である管柱２ａ，２ｂと、該一対の管柱を挟み込むように一対の管柱２ａ，２ｂの一方の側に取り付けられた内壁材である第１の木質断熱板４と、一対の管柱２ａ，２ｂの他方の側に取り付けられた外壁材５と、該外壁材と第１の木質断熱板４との間に設置された第２の木質断熱板３と、該第２の木質断熱板と外壁材５との間に取り付けられた筋かい１１とで構成してある。【選択図】  図１
2005009087.tif 000002
【特許請求の範囲】
【請求項１】
土台、梁等の水平横架材に沿って該水平横架材の上に立設された複数の柱と、該複数の柱を挟み込むように前記複数の柱の一方の側と他方の側にそれぞれ取り付けられた内壁材及び外壁材とを備えた木造住宅の壁構造において、
前記内壁材を第１の木質断熱板で構成するとともに、前記複数の柱のうち、互いに対向する一対の柱の対向側面にそれぞれ所定の縦溝を鉛直方向に形成し、第２の木質断熱板をその両側方縁部が前記縦溝にそれぞれ嵌め込まれるように設置したことを特徴とする木造住宅の壁構造。
【請求項２】
前記縦溝を複数とするとともに、該縦溝にそれぞれ嵌め込まれる前記第２の木質断熱板を複数とした請求項１記載の木造住宅の壁構造。
【請求項３】
前記第１の木質断熱板及び前記第２の木質断熱板を桐材で構成した請求項１又は請求項２記載の木造住宅の壁構造。
【発明の詳細な説明】
【０００１】
【発明の属する技術分野】
本発明は、断熱施工を行う際に用いる木造住宅の壁構造に関する。
【０００２】
【従来の技術】
日本は年間を通じて気温や湿度の変化が大きいため、建物の断熱性や気密性を高めて室内の温度や湿度を一定に保ち、快適な居住環境を確保することが重要である。
【０００３】
木造住宅においては、その壁を構築する際、壁体内に断熱層を形成し、該断熱層の表面に必要に応じて防湿材、下地材、仕上げ材等を順次取り付けることによって、建物の断熱性を高めるのが一般的である。
【０００４】
かかる断熱層に用いる断熱材としては、グラスウールやロックウールなどの無機繊維系材料、ポリスチレンフォームやウレタンフォームなどの発泡プラスチック系材料及びインシュレーションボードやセルローズファイバーなどの木質繊維系材料が用いられていた。
【０００５】
【特許文献１】
特開平１０−１８３８１９号公報
【０００６】
【発明が解決しようとする課題】
しかしながら、無機繊維系材料は不燃性は高いものの透湿性があり水に弱いため防湿材が必要となる、発泡プラスチック系材料は高い断熱性を有し水や湿気に強いが日射によって劣化し不燃性にも劣る、木質繊維系材料は断熱性や不燃性にやや劣るという短所をそれぞれ有しているという問題を生じていた。
【０００７】
また、近年の環境問題に対する意識の高まりから、断熱材が産業廃棄物となることがないよう有効に再利用することが重要となってきているが、従来の断熱材はリサイクルにコストや手間がかかるという問題も生じていた。
【０００８】
本発明は、上述した事情を考慮してなされたもので、断熱性を有すると共に容易に再利用することができる木造住宅の壁構造を提供することを目的とする。
【０００９】
【課題を解決するための手段】
上記目的を達成するため、本発明に係る木造住宅の壁構造は請求項１に記載したように、土台、梁等の水平横架材に沿って該水平横架材の上に立設された複数の柱と、該複数の柱を挟み込むように前記複数の柱の一方の側と他方の側にそれぞれ取り付けられた内壁材及び外壁材とを備えた木造住宅の壁構造において、前記内壁材を第１の木質断熱板で構成するとともに、前記複数の柱のうち、互いに対向する一対の柱の対向側面にそれぞれ所定の縦溝を鉛直方向に形成し、第２の木質断熱板をその両側方縁部が前記縦溝にそれぞれ嵌め込まれるように設置したものである。
【００１０】
また、本発明に係る木造住宅の壁構造は、前記縦溝を複数とするとともに、該縦溝にそれぞれ嵌め込まれる前記第２の木質断熱板を複数としたものである。
【００１１】
また、本発明に係る木造住宅の壁構造は、前記第１の木質断熱板及び前記第２の木質断熱板を桐材で構成したものである。
【００１２】
本発明に係る木造住宅の壁構造においては、内壁材を第１の木質断熱板で構成するとともに、互いに対向する一対の柱の対向側面にそれぞれ所定の縦溝を鉛直方向に形成し、第２の木質断熱板をその両側方縁部が縦溝にそれぞれ嵌め込まれるように設置してある。
【００１３】
このようにすると、室内側においては、第１の木質断熱板と第２の木質断熱板とが離間配置されるとともに、第１の木質断熱板と第２の木質断熱板との間に空気層が形成され、その結果として、第１及び第２の木質断熱板と空気層からなる３重断熱構造が形成されることとなる。
【００１４】
また、内壁材である第１の木質断熱板と外壁材との間に第２の木質断熱板を設置することによって壁の面内剛性が上がり、強度の面でも優れた構造となる。
【００１５】
また、第１の木質断熱板及び第２の木質断熱板は木材であるため、例えば、チップ化して保水材とすることによって緑化のための植生基材として使用するなど、リサイクルが容易であり、有効に再利用することができる。
【００１６】
外壁材をどのように構成するかは任意であり、公知の材料の中から適宜選択して構成すればよい。
【００１７】
柱は、土台、梁等の水平横架材に沿って該水平横架材の上に立設されているのであれば、通し柱、管柱、間柱等の種類は問わない。また、例えば、一対の管柱等、同じ種類の柱を組み合わせて一対の柱としてもかまわないし、通し柱と間柱等、異なる種類の柱を組み合わせて一対の柱としてもかまわない。
【００１８】
第２の木質断熱板は、その両側方縁部を一対の柱の対向側面にそれぞれ鉛直方向に形成された縦溝に嵌め込んで設置することができるのであれば、どのように構成するかは任意である。
【００１９】
また、第２の木質断熱板は、高さが柱の長さと同じ一枚の大きな板で構成してもかまわないし、短冊状の木質断熱板を鉛直方向に柱の天端まで複数積み上げることによって構成してもかまわない。
【００２０】
縦溝は、互いに対向する一対の柱の対向側面に、該対向側面の下端から上端まで鉛直方向に形成されるとともに、第２の木質断熱板の側方縁部を嵌め込むことができるのであれば、どのような形状とするかは問わない。
【００２１】
また、縦溝は１つでもかまわないが、縦溝を複数とするとともに、該縦溝にそれぞれ嵌め込まれる第２の木質断熱板を複数とした場合においては、壁体内がより多くの空気層と木質断熱板とで構成されることとなり、より高い断熱性が確保される。
【００２２】
ここで、第１の木質断熱板及び第２の木質断熱板は、断熱性が高い木材であればどのような材料で構成するかは任意であり、例えば、杉や檜を用いることが考えられるが、桐材を用いてもよい。
【００２３】
桐は、木材の中でも密度が非常に小さく、熱伝導率が低く、伸縮率が小さいという特性を持つ材料である。
【００２４】
したがって、軽いために施工性がよく、熱伝導率が低いため他の木材に比べて高い断熱性が確保され、伸縮率が小さいために湿度の変化によって膨張収縮することがほとんどなく気密性が確保される。
【００２５】
【発明の実施の形態】
以下、本発明に係る木造住宅の壁構造の実施の形態について、添付図面を参照して説明する。なお、従来技術と実質的に同一の部品等については同一の符号を付してその説明を省略する。
【００２６】
図１は、本実施形態に係る木造住宅の壁構造１を示した図で、（ａ）は水平断面図、（ｂ）は（ａ）のＡ―Ａ線に沿う垂直断面図である。同図に示すように、本実施形態に係る木造住宅の壁構造１は、水平横架材である土台１２に沿って該土台の上に立設された一対の柱である管柱２ａ，２ｂと、該一対の管柱を挟み込むように一対の管柱２ａ，２ｂの一方の側に取り付けられた内壁材である第１の木質断熱板４と、一対の管柱２ａ，２ｂの他方の側に取り付けられた外壁材５と、該外壁材と第１の木質断熱板４との間に設置された第２の木質断熱板３と、該第２の木質断熱板と外壁材５との間に取り付けられた筋かい１１とで構成してある。
【００２７】
一対の管柱２ａ，２ｂは、その対向側面８ａ，８ｂの中央に、鉛直方向の縦溝９ａ，９ｂをそれぞれ形成してある。
【００２８】
縦溝９ａ，９ｂは、水平断面形状がコの字状になるように対向側面８ａ，８ｂの下端から上端まで形成してあり、第２の木質断熱板３の両側方縁部１０ａ，１０ｂをそれぞれ嵌め込むことができるようになっている。
【００２９】
第２の木質断熱板３は、厚さが３０ｍｍの桐材で構成するとともに、幅が縦溝９ａ，９ｂ間の長さと等しくなるようにかつ水平断面形状が矩形状となるように形成してあり、上述したように、その両側方縁部１０ａ，１０ｂが縦溝９ａ，９ｂにそれぞれ嵌め込まれるようになっている。
【００３０】
また、同図（ｂ）でよくわかるように、複数の短冊状の第２の木質断熱板３を鉛直方向に管柱２ａ，２ｂの天端まで積み上げることによって構成してある。
【００３１】
内壁材である第１の木質断熱板４は、管柱２ａ，２ｂの室内側に取り付けてあり、厚さが１０ｍｍの桐材で構成するとともに、該桐材が仕上げ材を兼ねている。
【００３２】
外壁材５は、管柱２ａ，２ｂの室外側に取り付けてあり、下地材６と、該下地材の表面に取り付けられた仕上げ材７とで構成してある。
【００３３】
筋かい１１は、壁が十分な水平耐力を有することができるよう、管柱２ｂの下端と管柱２ａの上端との間に取り付けてある。
【００３４】
本実施形態に係る木造住宅の壁構造１を構築するには、図２（ａ）に示すように、まず、土台１２に互いに対向する一対の管柱２ａ，２ｂを立設し、次いで、管柱２ａ，２ｂの上方から、第２の木質断熱板３を落とし込む。このとき、第２の木質断熱板３の両側方縁部１０ａ，１０ｂが、一対の管柱２ａ，２ｂの対向側面８ａ，８ｂにそれぞれ鉛直方向に形成された縦溝９ａ，９ｂに嵌め込まれるようにする。
【００３５】
以下、第２の木質断熱板３の落とし込みを、第２の木質断熱板３の天端が管柱２ａ，２ｂの天端に達するまで繰り返す。なお、第２の木質断熱板３を落とし込む際は、気密性を確保するため、先行して落とし込んである第２の木質断熱板３との間に隙間が生じないように注意する。
【００３６】
次に、図２（ｂ）の水平断面図に示すように、第２の木質断熱板３の室外側に筋かい１１を取付け、次いで、管柱２ａ，２ｂの室外側に外壁材５として下地材６及び仕上げ材７を取り付けるとともに、管柱２ａ，２ｂの室内側に内壁材である第１の木質断熱板４を取り付ける。
【００３７】
本実施形態に係る木造住宅の壁構造１においては、内壁材を第１の木質断熱板４で構成するとともに、一対の管柱２ａ，２ｂの対向側面８ａ，８ｂにそれぞれ縦溝９ａ，９ｂを鉛直方向に形成し、第２の木質断熱板３をその両側方縁部１０ａ，１０ｂが縦溝９ａ，９ｂにそれぞれ嵌め込まれるように設置してある。
【００３８】
このようにすると、図３に示すように、室内側においては、第１の木質断熱板４と第２の木質断熱板３とが離間配置されるとともに、第１の木質断熱板４と第２の木質断熱板３との間に空気層３１が形成され、その結果として、第１の木質断熱板４、空気層３１及び第２の木質断熱板からなる３重断熱構造が形成されることとなる。
【００３９】
また、本実施形態に係る木造住宅の壁構造１においては、第１の木質断熱板４及び第２の木質断熱板３を桐材で構成しているが、表１に、桐材及び他の代表的な木材の密度、熱伝導率及び収縮率を示す。なお、密度及び収縮率は、「建築用木材の知識」（今里隆著、鹿島出版会、１９８５年）、熱伝導率は、「木材工業ハンドブック」（農林省林業試験場編、丸善、１９６４年）によるものである。
【００４０】
【表１】
2005009087.tif 000003
【００４１】
表１でわかるように、桐は、密度が０．２９ｇ／ｃｍ３であり木材の中でも非常に軽く、熱伝導率が０．０７３Ｗ／（ｍ・Ｋ）と低いため断熱性が高く、収縮率が０．０６％で小さいという特性を持つ材料である。
【００４２】
以上説明したように、本実施形態に係る木造住宅の壁構造１によれば、内壁材を第１の木質断熱板４で構成するとともに、一対の管柱２ａ，２ｂの対向側面８ａ，８ｂにそれぞれ縦溝９ａ，９ｂを鉛直方向に形成し、第２の木質断熱板３をその両側方縁部１０ａ，１０ｂが縦溝９ａ，９ｂにそれぞれ嵌め込まれるように設置してあるので、室内側においては、第１の木質断熱板４、空気層３１及び第２の木質断熱板３からなる３重断熱構造が形成されることとなり、壁全体の断熱性を確保することが可能となる。
【００４３】
また、内壁材である第１の木質断熱板４と外壁材５との間に第２の木質断熱板３を設置することによって壁の面内剛性が上がり、強度の面でも優れた構造となる。
【００４４】
また、第１の木質断熱板４及び第２の木質断熱板３は木材であるため、例えば、チップ化して保水材とすることによって緑化のための植生基材として使用するなど、リサイクルが容易であり、有効に再利用することができる。
【００４５】
さらに、木材は、湿度の高い環境下では吸湿し、湿度の低い環境下では放湿するといういわゆる調湿機能を有しており、室内の湿度変化を抑制することが可能である。
【００４６】
また、本実施形態に係る木造住宅の壁構造１によれば、第１の木質断熱板４及び第２の木質断熱板３を桐材で構成したので、軽いために施工性がよく、熱伝導率が低いため他の木材に比べて高い断熱性を確保することができ、伸縮率が小さいために湿度の変化によって膨張収縮することがほとんどなく気密性を確保することができる。
【００４７】
本実施形態では、土台１２の上に立設された一対の管柱２ａ，２ｂを一対の柱としたが、柱の種類は任意であり、例えば、一対の通し柱又は間柱を一対の柱としてもかまわないし、通し柱と間柱等、異なる種類の柱を組み合わせて一対の柱としてもかまわない。また、土台に代えて、胴差等の他の水平横架材の上に立設されている柱であってもかまわない。
【００４８】
また、本実施形態では、第２の木質断熱板３と外壁材５との間に筋かい１１を設置するように構成したが、十分な水平耐力が得られるのであれば、筋かい１１を省略してもかまわない。
【００４９】
また、本実施形態では、第１の木質断熱板４及び第２の木質断熱板３を桐材で構成したが、第１の木質断熱板及び第２の木質断熱板は断熱性が高い木材であればどのような材料で構成するかは任意であり、例えば、杉や檜を用いてもかまわない。
【００５０】
また、本実施形態では、第２の木質断熱板３を水平断面形状が矩形状となるように形成するとともに、縦溝９ａ，９ｂを水平断面形状がコの字状になるように形成したが、第２の木質断熱板及び縦溝は、第２の木質断熱板の両側方縁部を一対の柱の対向側面にそれぞれ形成された縦溝に嵌め込むことができるのであれば、どのように構成してもかまわない。
【００５１】
また、本実施形態では、短冊状の第２の木質断熱板３を鉛直方向に複数積み上げて構成するようにしたが、これに変えて、高さが柱の長さと同じ一枚の大きな板で構成した第２の木質断熱板を用いるようにしてもかまわない。
【００５２】
また、本実施形態では、管柱２ａ，２ｂの対向側面８ａ，８ｂにそれぞれ縦溝９ａ，９ｂを１つずつ形成するようにしたが、これに代えて、縦溝を複数形成するとともに、該縦溝に嵌め込まれるように第２の木質断熱板を複数設置するようにしてもかまわない。
【００５３】
図４は、本実施形態の変形例に係る木造住宅の壁構造５１を示した水平断面図である。同図に示すように、本変形例に係る木造住宅の壁構造５１は、互いに対向する一対の柱である管柱５２ａ，５２ｂと、該一対の管柱を挟み込むように一対の管柱５２ａ，５２ｂの一方の側に取り付けられた内壁材である第１の木質断熱板４と、一対の管柱２ａ，２ｂの他方の側に取り付けられた外壁材５と、該外壁材と第１の木質断熱板４との間に設置された２枚の第２の木質断熱板５３，５３と、外壁材５側に設置された第２の木質断熱板５３と外壁材５との間に取り付けられた筋かい１１とで構成してある。
【００５４】
一対の管柱５２ａ，５２ｂは、その対向側面５８ａ，５８ｂの中央及び室内側の２カ所に、鉛直方向の縦溝５９ａ，５９ｂをそれぞれ形成してある。
【００５５】
縦溝５９ａ，５９ｂは、水平断面形状がコの字状になるように対向側面５８ａ，５８ｂの下端から上端まで形成してあり、第２の木質断熱板５３の両側方縁部５４ａ，５４ｂをそれぞれ嵌め込むことができるようになっている。
【００５６】
第２の木質断熱板５３は、厚さが２０ｍｍの桐材で構成するとともに、幅が縦溝５９ａ，５９ｂ間の長さと等しくなるようにかつ水平断面形状が矩形状となるように形成してあり、上述したように、その両側方縁部５４ａ，５４ｂが縦溝５９ａ，５９ｂにそれぞれ嵌め込まれるようになっている。
【００５７】
このようにすると、室内側においては、第１の木質断熱板４と２枚の第２の木質断熱板５３，５３とが互いに離間配置されるとともに、第１の木質断熱板４と室内側の第２の木質断熱板５３との間に空気層５５が、２枚の第２の木質断熱板５３，５３間に空気層５６がそれぞれ形成され、その結果として、第１の木質断熱板４、空気層５５，５６及び２枚の第２の木質断熱板５３，５３からなる５重断熱構造が形成されることとなり、より高い断熱性を確保することが可能となる。
【００５８】
なお、その他の構成や作用効果に関しては、上述した実施形態と同様であるので、ここではその詳細な説明を省略する。
【００５９】
また、本変形例では第２の木質断熱板５３を２枚設置するように構成したが、第２の木質断熱板を何枚設けるかは任意であり、例えば、３枚としてもかまわない。
【００６０】
【発明の効果】
以上述べたように、本発明に係る木造住宅の壁構造によれば、室内側においては、第１及び第２の木質断熱板と空気層からなる３重断熱構造が形成されることとなり、壁全体の断熱性を確保することが可能となる。
【００６１】
また、内壁材である第１の木質断熱板と外壁材との間に第２の木質断熱板を設置することによって壁の面内剛性が上がり、強度の面でも優れた構造となる。
【００６２】
また、第１の木質断熱板及び第２の木質断熱板は木材であるため、例えば、チップ化して保水材とすることによって緑化のための植生基材として使用するなど、リサイクルが容易であり、有効に再利用することができる。
【００６３】
【図面の簡単な説明】
【図１】本実施形態に係る木造住宅の壁構造を示した図で、（ａ）は水平断面図、（ｂ）は（ａ）のＡ―Ａ線に沿う垂直断面図。
【図２】本実施形態に係る木造住宅の壁構造を構築する様子を示した図で、（ａ）は斜視図、（ｂ）は水平断面図。
【図３】本実施形態に係る木造住宅の壁構造の作用を示した水平断面図。
【図４】本実施形態の変形例に係る木造住宅の壁構造を示した水平断面図。
【符号の説明】
１、５１                              木造住宅の壁構造
２ａ、２ｂ、５２ａ、５２ｂ            管柱（柱）
３、５３                              第２の木質断熱板
４                                    第１の木質断熱板（内壁材）
５                                    外壁材
８ａ、８ｂ、５８ａ、５８ｂ            対向側面
９ａ、９ｂ、５９ａ、５９ｂ            縦溝
１０ａ、１０ｂ、５４ａ、５４ｂ        側方縁部
１２                                  土台（水平横架材）
【図１】
2005009087.tif 000004
【図２】
2005009087.tif 000005
【図３】
2005009087.tif 000006
【図４】
2005009087.tif 000007